(57)【要約】【課題】土質改良機等に設けられる混合装置において、該混合装置のケーシングが摩耗したり損傷したような場合に、該ケーシングの補修や交換を容易に行えるようにする。【解決手段】混合装置のケーシング１２を、外側ケーシング１９と内側ケーシング２０とからなる二重構造のものにすると共に、外側ケーシング１９は、開閉自在な二つの分割ケース１９Ａ、１９Ｂから構成する一方、内側ケーシング２０は、周回り方向に分割された複数のモジュール２０ａから構成し、さらにこれらモジュール２０ａを、外側ケーシング１９にボルト２６−ナット２６ａを介して着脱自在に止着せしめた。【選択図】図３
2007117865.tif 000002
【特許請求の範囲】
【請求項１】
混合装置の外殻を形成するケーシングを、外側ケーシングと該外側ケーシングの内側に配される内側ケーシングとの二重構造にしたことを特徴とする混合装置。
【請求項２】
外側ケーシングを開閉自在に構成すると共に、該外側ケーシングを開けた状態で内側ケーシングを外側ケーシングに着脱自在に組付けできることを特徴とする請求項１に記載の混合装置。
【請求項３】
内側ケーシングは、複数のモジュールから構成されることを特徴とする請求項１または２に記載の混合装置。
【請求項４】
外側ケーシングと内側ケーシングとのあいだに、緩衝材を介装したことを特徴とする請求項１乃至３の何れか一項に記載の混合装置。
【発明の詳細な説明】
【技術分野】
【０００１】
本発明は、土質改良機等に設けられる混合装置の技術分野に属するものである。
【背景技術】
【０００２】
近年、資源再利用促進の背景の下、軟弱な土壌等の原料土に固化材等の土質改良材を混合して土質改良し、このものを改良土として再利用する土質改良機のニーズが広がっている。
前記土質改良機は、原料土と土質改良材とを混合撹拌する混合装置を備えるが、該混合装置は、一般に、ケーシング内に、原料土と土質改良材とを撹拌するための回転子（回転翼、パドル、ハンマ等）を備えて構成される。
ところで、前記混合装置のケーシングは、回転子で撹拌された土砂や該土砂内に混入する小石等が衝突するため、摩耗したり損傷したりすることは避けられず、稼動状況に応じて補修や新品との交換が必要となるが、該ケーシングは大型であって、補修や交換は大掛かりな作業になるばかりか、コストも高くつくという問題がある。また、土砂や小石等がケーシング内面に衝突する際に大きな騒音が発生するという問題もある。
そこで、従来、混合装置のケーシングの内面に、ゴムや樹脂等の弾性材からなる緩衝兼付着防止用カバーを取付けた技術が提唱されている（例えば、特許文献１参照。）。
【特許文献１】特開平１１−１７２７１７号公報
【発明の開示】
【発明が解決しようとする課題】
【０００３】
しかるに、前記特許文献１のものは、緩衝兼付着防止用カバーによってケーシングの摩耗や騒音を低減することはできるものの、該緩衝兼付着防止用カバーにケーシング内の土砂や小石等が直接衝突することになるから、該カバーの摩耗、損傷は激しく、短期間でカバーを交換しなければならないことになる。しかも、ケーシングの奥方のカバーの交換は困難であり、而して、面倒且つ煩雑なカバーの交換を頻繁に行わなければならないという問題があり、ここに本発明が解決しようとする課題がある。
【課題を解決するための手段】
【０００４】
本発明は、上記の如き実情に鑑みこれらの課題を解決することを目的として創作されたものであって、請求項１の発明は、混合装置の外殻を形成するケーシングを、外側ケーシングと該外側ケーシングの内側に配される内側ケーシングとの二重構造にしたことを特徴とする混合装置である。
そして、この様にすることにより、混合物との衝突によりケーシングが摩耗、損傷したような場合には、内側ケーシングのみを補修したり交換したりすれば良いことになって、ケーシング全体を補修したり交換したりする場合と比べて、容易であると共にコストダウンに寄与できる。
請求項２の発明は、外側ケーシングを開閉自在に構成すると共に、該外側ケーシングを開けた状態で内側ケーシングを外側ケーシングに着脱自在に組付けできることを特徴とする請求項１に記載の混合装置である。
そして、この様にすることにより、内側ケーシングの補修、交換を容易に行うことができる。
請求項３の発明は、内側ケーシングは、複数のモジュールから構成されることを特徴とする請求項１または２に記載の混合装置である。
そして、この様にすることにより、内側ケーシングの補修や交換を行う場合に、取外し、取付けが容易であると共に、摩耗や損傷を点検しながら該当するモジュールのみを交換すれば良いことになって、内側ケーシングの一部が損傷しても全体を取り替えなければならないような無駄を無くすことができる。
請求項４の発明は、外側ケーシングと内側ケーシングとのあいだに、緩衝材を介装したことを特徴とする請求項１乃至３の何れか一項に記載の混合装置である。
そして、この様にすることにより、土砂等が内側ケーシングに衝突したときに発生する騒音が外部に漏れてしまうことを、効果的に低減することができる。
【発明を実施するための最良の形態】
【０００５】
次に、本発明の実施の形態について、図面に基づいて説明する。図１において、１は自走式土質改良機であって、該自走式土質改良機１は、クローラ式の下部走行体２、図示しないエンジンや油圧ポンプ等が収納される動力室３、改良するべき原料土が投入される原料土ホッパ４、該原料土ホッパ４に投入された原料土を搬送する原料土フィーダ５、石灰系固化材やセメント系固化材等の土質改良材が投入、貯溜される改良材ホッパ６、該改良材ホッパ６に投入された土質改良材を搬送するスクリューフィーダ７、原料土フィーダ５により供給される原料土とスクリューフィーダ７により供給される土質改良材とを混合撹拌して改良土にする混合装置８、該混合装置８から排出される改良土を搬出する搬出コンベア９等を備えて構成されている。
【０００６】
前記混合装置８は、図２、図３に示すように、機体フレーム１０に取付支持される二本の上下方向を向く支柱１１Ａ、１１Ｂ、後述するケーシング１２、支柱１１Ａ、１１Ａの上端部に支持される状態でケーシング１２の上方を覆蓋するアッパーカバー１３、軸芯が上下方向を向き、且つ上下端部がアッパーカバー１３および両支柱１１Ａ、１１Ｂの下端部間に支架される支持フレーム１４に軸回り方向回転自在に支持される回転軸１５、該回転軸１５を回転せしめるべく駆動する油圧モータ１６、回転軸１５と油圧モータ１６とを連結するカップリング１７、上下方向及び周回り方向に所定間隔を存する状態で回転軸１５に一体固定される複数の回転翼１８等から構成されている。そして、前記原料土フィーダ５から供給される原料土とスクリューフィーダ７から供給される土質改良材とは、ケーシング１２の上部に開設された供給口１２ａからケーシング１２内に投入され、落下しながら回転翼１８により解砕混合撹拌されることで改良土となって、ケーシング１２の下方開口１２ｂから搬出コンベア９上に落下するように構成されている。
【０００７】
前記ケーシング１２は、混合装置８の外殻を形成するものであるが、このものは、外側ケーシング１９と、該外側ケーシング１９の内周側に組付けられる内側ケーシング２０とにより二重に形成されている。
つまり、外側ケーシング１９は、全体として上下が開口した縦置き円筒形状をしており、該外側ケーシング１９の直径方向両端部に前記二本の支柱１１Ａ、１１Ｂが立設されているが、この外側ケーシング１９は、支柱１１Ａ、１１Ｂを境として周回り方向に二分割された二つの分割ケース１９Ａ、１９Ｂから構成されている。そして、一方の分割ケース１９Ａの一端側は、一方の支柱１１Ａに、支柱側ブラケット２１およびケース側ブラケット２２を介してピン軸２３により水平方向揺動自在に軸支される（本実施の形態では上下方向三箇所でピン軸支２３されているが、これに限定されない）と共に、分割ケース１９Ａの他端側には他方の支柱１１Ｂに当接するフランジ部１９Ａａが形成されており、該フランジ部１９Ａａが他方の支柱１１Ｂにボルト２４を介して着脱自在に止着されている（本実施の形態では上下方向四箇所でボルト２４止めされるようになっているが、これに限定されない）。また他方の分割ケース１９Ｂは、同様にして一端側が他方の支柱１１Ｂにピン軸２３を介して水平方向揺動自在に軸支されると共に、他端側に形成されたフランジ部１９Ｂａが一方の支柱１１Ａにボルト２４を介して着脱自在に止着されるようになっている。そして、これら分割ケース１９Ａ、１９Ｂは、他端側のフランジ部１９Ａａ、１９Ｂａを支柱１１Ｂ、１１Ａに当接せしめた状態では、円筒形状の外側ケーシング１９を形成して混合装置８の外周側を覆蓋する閉鎖姿勢となるが、ボルト２４を取外した状態で一端側のピン軸２３を支点として他端側が支柱１１Ｂ、１１Ａから離間するよう水平方向に揺動せしめることにより、混合装置８の外周側を開放する開放姿勢に変姿するようになっている。尚、前記分割ケース１９Ａ、１９Ｂの開閉揺動は、図示しない油圧シリンダ等のアクチュエータを用いて行うように構成することもできる。
【０００８】
一方、内側ケーシング２０は、全体としては外側ケーシング１９よりも若干小径ではあるが外側ケーシング１９と同様に上下が開口した縦置き円筒形状をしているが、該内側ケーシング２０は、周回り方向に分割された複数のモジュール２０ａから構成されていると共に、各モジュール２０ａは、前記分割ケース１９Ａ、１９Ｂおよび支柱１１Ａ、１１Ｂの内周面部に、該内周面部とのあいだにゴムや樹脂等からなる緩衝材２５を介装する状態で、ボルト２６−ナット２６ａにより着脱自在に止着されている。尚、内側ケーシング２０は、外側ケーシング１９と同様に鋼板を用いて形成されている。また、本実施の形態では、各分割ケース１９Ａ、１９Ｂにそれぞれ三つのモジュール２０ａが止着され、また各支柱１１Ａ、１１Ｂにそれぞれ一つのモジュール２０ａが止着されているが、これに限定されるものではない。
【０００９】
前記緩衝材２５は、前述したように、外側ケーシング１９と内側ケーシング２０とのあいだに介装されていて、各モジュール２０ａを止着するためのボルト２６が挿通されることになるが、該緩衝材２５のボルト挿通部には円筒状のスペーサ２７が装着されていて、ボルト２６を挿通しやすいように配慮されている。また、分割ケース１９Ａ、１９Ｂ、支柱１１Ａ、１１Ｂの内周面部および各モジュール２０ａの外周面部には、スペース２７の両端側が係合する係合部２７ａが凹設されている。尚、本実施の形態において、緩衝材２５は、ボルト２６の数と同数だけ設けられていると共に、周回り方向に隣接する緩衝材２５同士のあいだに間隙を存しているが、これに限定されるものではない。
【００１０】
叙述の如く構成された本形態において、原料土と土質改良材とを混合撹拌する混合装置８のケーシング１２は、外側ケーシング１９と内側ケーシング２０とからなる二重構造のものであると共に、外側ケーシング１９は、周回り方向に二分割された開閉自在な二つの分割ケース１９Ａ、１９Ｂから構成される一方、内側ケーシング２０は、周回り方向に分割された複数のモジュール２０ａから構成されており、さらに各モジュール２０ａは、緩衝材２５を介して外側ケーシング１９の内周面部にボルト２６−ナット２６ａにより着脱自在に止着されている。
【００１１】
而して、内側ケーシング２０には、原料土と土質改良材との混合撹拌に伴い飛散する土砂や小石等が衝突することになるが、該内側ケーシング２０が土砂や小石等が衝突することで摩耗したり損傷したような場合には、外側ケーシング１９を構成する分割ケース１９Ａ、１９Ｂを開くと、該分割ケース１９Ａ、１９Ｂの内周面部に止着された内側ケーシング２０が露出し、この状態で、内側ケーシング２０のモジュール２０ａを取外して、補修したり新品と交換したりすれば良いことになる。
【００１２】
この結果、土砂等の衝突によりケーシング１２が摩耗、損傷したような場合には、内側ケーシング２０のみを補修したり交換したりすれば良いことになって、ケーシング１２全体を補修したり交換したりする場合と比べて、容易であると共にコストダウンに寄与できる。しかも、内側ケーシング２０は複数のモジュール２０ａに分割されているから、取外し、取付けが容易であると共に、摩耗や損傷を点検しながら該当するモジュール２０ａのみを交換すれば良いことになって、内側ケーシング２０の一部が損傷しても全体を取り替えなければならないような無駄を無くすことができる。尚、内側ケーシング２０は外側ケーシング１９と同様に鋼板で形成されているから、土砂や小石等が緩衝材に直接衝突した場合の緩衝材と比べると、内側ケーシング２０は摩耗、損傷しづらく、頻繁にモジュール２０ａを交換しなければならないような惧れはない。
【００１３】
しかもこのものにおいて、外側ケーシング１９と内側ケーシング２０とのあいだには緩衝材２５が介装されているから、土砂等が内側ケーシング２０に衝突したときに発生する騒音が外部に漏れてしまうことを効果的に低減できることになって、周囲環境に配慮した自走式土質改良機１とすることができる。
【００１４】
尚、本発明は上記実施の形態に限定されないことは勿論であって、上記実施の形態では、外側ケーシングを周回り方向に二分割して開閉自在としているが、三つ以上に分割しても良い。また、外側ケーシングおよび内側ケーシングを、周回り方向以外の方向に分割することもできる。
【図面の簡単な説明】
【００１５】
【図１】自走式土質改良機の構造を示す図である。
【図２】混合装置の正面図である。
【図３】（Ａ）は図２のＸ−Ｘ断面図、（Ｂ）は（Ａ）の一部拡大図である。
【符号の説明】
【００１６】
８              混合装置
１２            ケーシング
１９            外側ケーシング
２０            内側ケーシング
２０ａ          モジュール
２５            緩衝材
【図１】
2007117865.tif 000003
【図２】
2007117865.tif 000004
【図３】
2007117865.tif 000005